(57)【要約】      （修正有）【課題】使用方式の変換を検出できる多用途のタッチ式無線マウスを提供する。【解決手段】マウス本体の上蓋、底台内部に収容空間を設け、且つ上蓋の上部表面に第１キー組の少なくとも１つの入力キーを設け、第１キー組に相対する他側の底台底部表面に第２キー組、変位検出ユニットを設け、マウス本体内部収容空間に制御モジュールを設する。又、制御モジュールは、それぞれ第１キー組、第２キー組に電気接続し、制御モジュールの方向感知器により変換制御器に連設し、マウス本体の応用方式の変換を検出し、第１キー組、第２キー組の動作を切り換え、マウス本体をマウス、リモコン等の任意の使用モードに変換することができるようにして、多用途使用のマウスを構成する。【選択図】図１
0003160361.tif 000002
【実用新案登録請求の範囲】
【請求項１】
使用方式の変換の検出を行なうことができるマウスであり、マウス本体と、第１キーと、第２キーと、制御モジュールと、を含み、そのうち、
該マウス本体の内部に収容空間を有し、
該第１キー組は、マウス本体の上部表面に設置され、それぞれ命令信号を入力する少なくとも１つの入力キーを有し、
該第２キー組は、マウス本体の第１キー組に相対する底部表面に設けられ、信号伝送させることができる複数の制御キーを設け、
該制御モジュールは、マウス本体内部に収容空間に設置され、それぞれ第１キー組、第２キー組に電気接続し、マウス本体の応用方式の変換を検出することができる方向感知器を設け、方向感知器は、第１キー組、第２キー組の動作を切り替えることができる変換制御器を設け、且つマウス本体の第２キー組側辺表面にマウス変位方向を検出する変位検出器を設ける多用途のタッチ式無線マウス。
【請求項２】
前記マウス本体は、底台及び上蓋を有し、且つ上蓋外側の上部表面は、一側に第１キー組の少なくとも１つの入力キーを設け、底台の外側底部表面には、複数のキーを有する第２キー組を設ける請求項１に記載の多用途のタッチ式無線マウス。
【請求項３】
前記第１キー組は、上蓋上部表面一側にマウス機能の左キー、中間キー、右キーの型式の複数の入力キーを設ける請求項２に記載の多用途のタッチ式無線マウス。
【請求項４】
前記第２キー組の複数制御キーは、リモコンが使用する起動/停止キー、音量調整キー、項目選択キーの類型の複数のキー、回転レバー、トラックボールの制御キーである請求項１に記載の多用途のタッチ式無線マウス。
【請求項５】
前記第２キー組の複数制御キーは、レーザポインタが使用するキーであることができ、スクリーンポインタ制御の上下左右調整キー、スクリーンカーソルポインタ操作制御のボールキーの各種類型の制御キーであることができる請求項１に記載の多用途のタッチ式無線マウス。
【請求項６】
前記制御モジュールが設ける変換制御器は、加速度センサ（G-SENSOR）、ジャイロスコープの類型の検出設備である請求項１に記載の多用途のタッチ式無線マウス。
【請求項７】
前記制御モジュールが設ける変換制御器は、信号を圧縮できる圧縮ユニットに接続詞、圧縮ユニットは、圧縮した信号を外部に無線信号伝送できる無線伝送ユニットに接続する請求項１記載の多用途のタッチ式無線マウス。
【考案の詳細な説明】
【技術分野】
【０００１】
本考案は、多用途のタッチ式無線マウスに関し、特に、使用方式を検出変換することができ、方向感知器を介してマウス本体の状態を検出し、マウスの動作を切り換え、マウス本体がマウス、リモコン等の任意の使用モードに変換することができる多用途のタッチ式無線マウスに関する。
【背景技術】
【０００２】
電子科学技術の絶え間ない進歩、創造に伴い、各種電子、電気式の製品は、生活、職場環境の周囲に充ちており、パソコン関連製品の使用は、人々に生活、仕事上の便利、快適をもたらし、且つ時代の流れに応じて前進し、パソコンは、本来の文書処理機能、演算機能以外に、グラフィックデザイン、文書編集、図面又は写真の製作並びに編集、ゲーム、インターネット等、多くのアプリケーションモードを有し、且つ仕事時のプレゼンテーション、講演、レポート、余暇時の映像音楽上方の再生等、多くのアプリケーションモードは、何れもパソコンが有する実用的機能であり、従って、パソコン周辺に、元々あるキーボード、マウス等の制御ツール以外に、更に、増設したゲーム操作制御スティック、ゲーム操作キーボード、ゲームポインタ、リモコン、レーザポインタ等の関連使用ツールもパソコン周辺で相当大きな空間を占有し、パソコン周辺環境の動作に影響し、且つ使用時に相当不便であり、異なる操作ツールを使用するように交換しなければならず、更に、キーボード、マウスを介してパソコンを操作制御し、作業を実行し、実際の動作、使用時、依然として多くの不便又は困難が存在し、例えば、以下のようである：
（１） パソコン周辺でよく使用する映像音楽リモコン、プレゼンテーションリモコン、レーザポインタ、方向操縦器等は、機能が全く異なるので、使用時に異なる器具に交換が必要であり、既に相当不便であり、携帯、収納時の困難も引き起こす。
（２） パソコンは、各種操作器具の応用に合わせるため、先ず、関連する実行プログラムをインストールする必要があり、そうして始めて各種操作器具に使用を開始させることができ、各種実行プログラムは、パソコンのメモリ空間を占有し、パソコンの動作、実行速度に影響を及ぼす。
【０００３】
業者は、プレゼンテーション機器及びマウスを結合し、例えば、証書番号第Ｉ３０７８５３号「多機能プレゼンテーション機器」の発明専利案は、２００９年３月２１日に公告の専利公報であり、図５に示すように、殻体Ａ上に第１キー組Ａ１及び第２キー組Ａ２をそれぞれ設け、内蔵したマウスモジュールが第２キー組Ａ２と接合し、殻体Ａ上に表示ユニットＡ３を設け、また、内蔵された制御ユニット、回路モジュールが、第１，第２キー組Ａ１，Ａ２の命令信号を受信することに用い、内蔵した重力スイッチを介してマウスモジュールの電源を制御し、出光口Ａ４が下または斜め４５度に向く時にだけ、マウスモジュールの電源をオンとし、そうでなければ、マウスモジュールの電源を切断し、殻体Ａ祖こぶの操作領域Ａ５及びデスク面の相互の接触を利用し、マウスの移動操作を妨げることなく、プレゼンテーションＡ０機能のレーザポインタ操作機能、カウンタ操作機能、プレゼンテーションプログラム操作機能又はマルチメディアプレイヤープログラム操作機能を使用する時、多機能プレゼンテーションＡ０を持ち、操作領域Ａ５の外表面Ａ５１を上向きに維持し、各種機能を操作することができるが、該周知のプレゼンテーションＡ０は、使用時、依然として多くの欠陥及び不便が存在し、プレゼンテーションＡ０の殻体Ａの第１キー組Ａ１、第２キー組Ａ２は、第１キー組Ａ１を使用時、第２キー組Ａ２のキーに誤ってタッチする可能性があり、第２キー組を使用時、第１キー組Ａ１のキーに誤ってタッチする可能性があり、キー組間の相互の干渉をもたらし、使用機能に影響を及ぼし、エラー、混乱等が生じる。
【０００４】
従って、現在の各種パソコン周辺設備の使用の問題、並びに操作器具の種類が多く、空間を占有し、操作が面倒であり、携帯又は収納に不便である等の多くの欠陥を如何に解決するかは、当業者が研究改善を欲するところである。
【考案の概要】
【考案が解決しようとする課題】
【０００５】
考案者は、上記の問題及び欠陥に鑑み、関連資料を集め、多方面の評価及び考慮を経て、試作、修正を重ね、多種操作機能を結合し、方向感知器の検出を介して、使用モードを自動切り換えする多用途のタッチ式無線マウスを考案するものである。
【０００６】
本考案の目的は、該マウス本体の上部表面に第１キー組の少なくとも１つの入力キーを設置し、他側底部表面に第２キー組、変位検出器を設け、内部収容空間に制御モジュールを設置し、且つそれぞれ第１キー組、第２キー組に電気接続し、制御モジュールの方向感知器により変換制御器に接続し、マウス本体の応用方式を検出し、変換でき、第１キー組、第２キー組の動作を切り換え、マウス本体がマウス、リモコン等の多種の使用モードに変換することができ、マウスの多用途使用の目的を達成するようにすることである。
【０００７】
本考案のもう１つの目的は、該マウス本体が上蓋、底台を有し、内部に収容空間を設け、且つ上蓋の上部表面にそれぞれ第１キー組の複数の入力キーを設け、複数の入力キーがマウス機能の左キー、中間キー及び右キーを備えることができ、第１キー組に相対して本体他側の底台底部表面に第２キー組、変位検出ユニットを設け、且つ該第２キー組が複数の制御キーを設け、該複数の制御キーは、リモコンが使用する起動/停止キー、音量調整キー、項目選択キー等の各種類型の複数のキーであることができ、複数の制御キーは、レーザポインタ使用のキーであることができ、スクリーンのポインタ制御の上下左右調整キー、スクリーンのカーソルポインタ操作制御のボールキーの各種類型の制御キーであることができるようにすることである。
【課題を解決するための手段】
【０００８】
本考案の多用途のタッチ式無線マウスは、使用方式の変換の検出を行なうことができるマウスであり、マウス本体と、第１キーと、第２キーと、制御モジュールと、を含み、そのうち、  該マウス本体の内部に収容空間を有し、該第１キー組は、マウス本体の上部表面に設置され、それぞれ命令信号を入力する少なくとも１つの入力キーを有し、該第２キー組は、マウス本体の第１キー組に相対する底部表面に設けられ、信号伝送させることができる複数の制御キーを設け、該制御モジュールは、マウス本体内部に収容空間に設置され、それぞれ第１キー組、第２キー組に電気接続し、マウス本体の応用方式の変換を検出することができる方向感知器を設け、方向感知器は、第１キー組、第２キー組の動作を切り替えることができる変換制御器を設け、且つマウス本体の第２キー組側辺表面にマウス変位方向を検出する変位検出器を設ける。
【考案の効果】
【０００９】
本考案の多用途のタッチ式無線マウスの実際使用時、下記各項の利点を有する：
（１） マウス本体１内部の収容空間１０において、制御モジュール２の方向感知器２２（加速度計（G-Sensor）又はジャイロスコープ等）によってマウス本体１の上蓋１１、底台１２の反転使用を検出し、即ち、変換制御器２１を介して上蓋１１上部表面の第１キー組３と、底台１２外側の底部表面の第２キー組４の切り変えを行い、マウス本体１にマウス又はリモコン、レーザポインタ、映像音楽リモコン、プレゼンテーションリモコン、方向操縦器等の使用状態とすることができ、マウス本体１に多種の用途の使用形態を持たせ、第１キー組３又は第２キー組４のエラー、混乱を回避する。
（２） マウス本体１は、リモコン、レーザポインタ、映像音楽リモコン、プレゼンテーションリモコン、方向操縦器等の型式の応用とすることができ、外部の電子装置５周辺使用の器具を減少することができ、電子装置５周辺の多くの空間位置を占有しないようにし、電子装置５を便利に操作させることができる。
（３） マウス本体１は、外部電子装置５に併せて使用する時、マウス本体１の実行プログラムを有するだけで、その他のアプリケーションをインストールする必要がなく、電子装置５のメモリ空間を占有することを回避することができる。
（４） マウス本体１は、制御モジュール２の方向感知器２２を介して、確実に第１キー組３、第２キー組４の動作を検出し、変換制御器２１により異なる使用機能に切り換えを行い、切り換えの表示を行なう必要がなく、第１キー組３、第２キー組４の正常動作を干渉することがない。
【図面の簡単な説明】
【００１０】
【図１】本考案のブロック図である。
【図２】本考案の立体外観図である。
【図３】本考案の立体分解図である。
【図４】本考案の底部外観図である。
【図５】従来の多機能プレゼンテーション機器の立体外観図である。
【考案を実施するための形態】
【００１１】
上記の目的及び効果を達成する為に本考案が採用する技術手段及びその構造を分かり易くする為、図面に併せて本考案の実施例を挙げ、その特徴及び機能を以下に詳細に説明する。
【００１２】
図１，図２，図３，図４は、本考案のブロック図、立体外観図、立体分解図、底部外観図であり、図から分かるように、本考案のタッチ式無線マウスは、本体１と、制御モジュール２と、第１キー組３と、第２キー組４から構成され、そのうち、
該制御モジュール１は、上蓋１１と、底台１２と、を含み、内部に収容空間１０を有する。
【００１３】
該制御モジュール２は、変換制御器２１を有し、変換制御器２１は、方向感知器２２と、圧縮ユニット２３と、を連設し、且つ圧縮ユニット２３は、更に無線伝送ユニット２４を連設し、無線伝送ユニット２４は、信号アンテナ２４１を連設し、外向きに信号を伝送することができ、無線伝送ユニット２４により変位検出器２５に接続する。該制御モジュール２は、回路レイアウト及び関連する電子、電気部品（一般に使用する回路モジュールシステムに属し、本願の専利の要求の要点ではないので、ここでは詳細を記載しない）を有し、変換制御器２１と、方向感知器２２と、圧縮ユニット２３と、無線伝送ユニット２４と、変位検出器２５等に動作、操作作業時の信号伝送を行なわせることができる。
【００１４】
該第１キー組３は、少なくとも１つの入力キー３１を有するものである。
【００１５】
該第２キー組４は、複数の制御キー４１を設け、且つ複数の制御キー４１は、リモコンが使用する起動/停止キー４１１、音量調整の音量増大キー４１２（音量＋）/音量減少（音量−）キー４１３、項目選択キー４１４（上移動キー４１４１、下移動キー４１４２、左移動キー４１４３、右移動キー４１４４等の方向キー）等の各種類型の複数のキーであることができる。また、該複数のキー４１は、レーザポインタが使用するレーザポインタキー４２、スクリーンポインタ制御の上下左右調整キー、スクリーンのカーソルポインタ制御のトラックボールキーの各種類型制御キーであることができる。
【００１６】
上記各構成部材の組み立て時、マウス本体１の上蓋１１と、底台１２内部から形成される収容空間１０を利用し、制御モジュール２を収納し、制御モジュール２の変位検出器２５は、底台１２の底部表面に設置され、且つ上蓋１１の上部表面一側は、第１キー３の少なくとも１つの入力キー３１を設置し、第１キー組３がマウス本体１の他側底台１２の外側底部表面から離れて第２キー組４を設置し、第１キー組３、第２キー組４をそれぞれ制御モジュール２に電気接続し、マウス本体１が上蓋１１の第１キー組３の少なくとも１つの入力キー３１を介して、マウス機能の命令信号の操作制御を行うことができ、マウス本体１の向きを変えた後、底台１２の第２キー組４により、リモコン、レーザポインタ、映像音楽リモコン、プレゼンテーションリモコン、方向操縦器、ゲームリモコン等の各種信号伝送の操作制御を行うことができ、且つマウス本体１の上蓋１１と、底台１２の反転応用時、制御モジュール２の方向感知器２２（可速度計（G-Sensor）、ジャイロスコープ等の検出部材であることができる）を介して、第１キー組３、第２キー組４の変換動作を切り換え、マウス本体１が簡易、迅速な使用形態の変換を行い、本考案のタッチ式無線マウスを構成することができる。
【００１７】
上記制御モジュール２の無線伝送ユニット２４は、ブルートゥースモジュール、無線周波数信号モジュール、無線電気信号伝送モジュール等、無線信号伝送を行なうことができる設備であることができる。且つ上記の第１キー組３は、上蓋１１上部表面一側に複数の入力キー３１を設け、複数の入力キー３１は、マウス機能の左キー３１１、中間キー３１２及び右キー３１３を有する型式であることができる。
【００１８】
図１，図２，図３，図４は、本考案のブロック図、立体外観図、立体分解図、底部外観図であり、図から分かるように、本考案の無線マウスの使用時、マウス本体１の上蓋を上向きにし、上蓋１１上部外表面が設ける第１キー組３の少なくとも１つの入力キー３１、上蓋１１上部外側表面一側にそれぞれ設ける左キー３１１、中間キー３１２及び右キー３１３により、マウスの使用機能を行ない、第１キー組３の少なくとも１つの入力キー３１にタッチした後、左キー３１１、中間キー３１２及び右キー３１３がキー入力する信号に基づき、制御モジュール２の変換制御器２１に電動することができ、変換制御器２１を介して受信した信号を圧縮ユニット２３に伝送し、圧縮ユニット２３の処理、圧縮を経た後、信号を無線伝送ユニット２４の信号アンテナ２４１を介して外向きに発送し、外部電子装置５（デスクトップ型パソコン、ノート型パソコン等）の無線信号モジュール５１（ブルートゥースモジュール、無線周波数信号モジュール、無線信号伝送モジュール等の各種類型の無線信号伝送設備であることができる）の受信アンテナ５１１にマウス本体１が伝送する信号を受信させることができ、電子装置５の動作を操作制御することができる。
【００１９】
マウス本体１を反対向きにして底台１２を上に向ければ、マウス本体１内部の収容空間１０中に収納した制御モジュール２は、制御モジュール２上に設ける方向感知器２２を介してマウス本体１の転向を感知し、同時に変換制御器２１にタッチし、マウス本体１上の第１キー組３、第２キー組４の形態を切り換え、マウス本体１をリモコン、レーザポインタ、映像音楽リモコン、プレゼンテーションリモコン、方向操縦器、ゲームリモコン等の使用状態に切り換え、マウス本体１の底台１２底部表面上に設ける第２キー組４にタッチし、レーザポインタキー４２を押す時、マウス本体１前側に位置するレーザ光源４３を介して、外向きにレーザ光を投射し、マウス本体１によりレーザポインタの使用形態とすることを達成する。第２キー組４の各制御キー４１にタッチする場合、各制御キー４１の異なる機能を利用し、異なる操作制御機能の動作を行なうことができ、各制御キー４１の信号を変換制御器２１に伝送し、変換制御器２１を介して受信した信号を圧縮ユニット２３に伝送し、圧縮ユニット２３を経由して処理、圧縮した後、信号を無線伝送ユニット２４の信号アンテナ２４１を介して外向きに発送し、外部電子装置５（デスクトップ型パソコン、ノート型パソコン、マルチメディアプレーヤー、投影機、録音再生機、音響、テレビ等の各種電子、電気製品であることができる）の無線信号モジュール５１の受信アンテナ５１１にマウス本体１が伝送した信号を受信させ、外部電子装置５を利用して異なる機能の動作を行なうことができる。
【００２０】
マウス本体１をリモコンとして利用する時、即ち、第２キー組４の各制御キー４１の起動/停止キー４１１にタッチすることにより、電子装置５の起動又は停止を操作制御することができる。且つ音量調整の音量増大キー４１２（音量＋）/音量減少（音量−）キー４１３にタッチする時、電子装置５の音量の大きさの調整を操作制御することができる。各制御キー４１の項目選択キー４１４にタッチする場合、例えば、上移動キー４１４１、下移動キー４１４２、左移動キー４１４３、右移動キー４１４１等の方向キーにタッチする場合、電子装置５に改頁、ランダム選択、多重選択項目選択の切り換え、動作機能の選択又は切り換え等を行なわせることができる。第２キー組４の複数の制御キー４１は、異なる使用機能を有し、リモコン、ゲーム操作制御器の用途とすることができる。
【００２１】
上記マウス本体１の操作制御を介して、マウス本体１が上蓋１１又は底台１２が上に向く時、制御モジュール２の方向感知器２２を利用し、マウス本体１の反転変化を検出し、第１キー組３、第２キー組４の切り換え、使用の変化を行い、マウス本体１が第１キー組３をマウスの用途とするように切り替えることに同期して、第２キー組４をリモコンの用途とすることを介して、マウス本体１に多種の用途を切り換え使用させ、マウス本体１の実用性を向上する。同時に、単一のマウス本体１を利用するだけで、多種の異なる使用機能を有し、マウス、リモコン、ゲームリモコン、レーザポインタ等の多種の異なる使用形態になることができ、電子装置５の周辺の占有される空間を減少し、電子装置５周辺により広い空間を持たせることができ、電子装置５の動作をより便利に操作することができ、且つ周辺の多すぎる用具、工具により干渉されることがない。
【００２２】
上記は、本考案の好適実施例であるだけであり、本考案の権利範囲を制限するものではなく、本考案のタッチ式無線マウスは、マウス本体１の内部収容空間１０に収納する制御モジュール２により、方向感知器２２がマウス本体１の反転方向を検出することによって、第１キー組３、第２キー組４の動作を切り換え、マウス本体１が異なる機能のマウス、リモコン又はレーザポインタ等の多種の用途を行なうように簡易に、迅速に切り換える目的を達成することができ、且つ外部電子装置５周辺の使用器具を減少することができ、電子装置５周辺において多くの空間を占有せず、電子装置５をより便利に操作させることができ、前記効果を達成できる構造、装置は、何れも本考案が包括するものであり、この種の簡易な修飾及び同等効果の構造変化は、何れも本考案の権利範囲内に含むものである。
【００２３】
上記本考案の多用途のタッチ式無線マウスの実際使用時、下記各項の利点を有する：
（５） マウス本体１内部の収容空間１０において、制御モジュール２の方向感知器２２（加速度計（G-Sensor）又はジャイロスコープ等）によってマウス本体１の上蓋１１、底台１２の反転使用を検出し、即ち、変換制御器２１を介して上蓋１１上部表面の第１キー組３と、底台１２外側の底部表面の第２キー組４の切り変えを行い、マウス本体１にマウス又はリモコン、レーザポインタ、映像音楽リモコン、プレゼンテーションリモコン、方向操縦器等の使用状態とすることができ、マウス本体１に多種の用途の使用形態を持たせ、第１キー組３又は第２キー組４のエラー、混乱を回避する。
（６） マウス本体１は、リモコン、レーザポインタ、映像音楽リモコン、プレゼンテーションリモコン、方向操縦器等の型式の応用とすることができ、外部の電子装置５周辺使用の器具を減少することができ、電子装置５周辺の多くの空間位置を占有しないようにし、電子装置５を便利に操作させることができる。
（７） マウス本体１は、外部電子装置５に併せて使用する時、マウス本体１の実行プログラムを有するだけで、その他のアプリケーションをインストールする必要がなく、電子装置５のメモリ空間を占有することを回避することができる。
（８） マウス本体１は、制御モジュール２の方向感知器２２を介して、確実に第１キー組３、第２キー組４の動作を検出し、変換制御器２１により異なる使用機能に切り換えを行い、切り換えの表示を行なう必要がなく、第１キー組３、第２キー組４の正常動作を干渉することがない。
【００２４】
従って、本考案は、マウス本体の設計、研究に対して、マウス本体内部の制御モジュールにより、方向感知器でマウス本体の反転使用状態を検出し、マウス本体の上蓋上部表面に設ける第１キー組、底台の底部表面が設ける第２キー組に合わせて、マウス本体を反転した後、マウス、リモコン、レーザポインタ、映像音楽リモコン、プレゼンテーションリモコン、方向操縦器、ゲームリモコン等の異なる使用機能にすることができ、マウス本体の実用性、利便性を向上し、但し、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２５】
１          マウス本体
１０        収容空間
１１        上蓋
１２        底台
２          制御モジュール
２１        変換制御器
２２        方向感知器
２３        圧縮ユニット
２４        無線伝送ユニット
２４１      信号アンテナ
２５        変位検出器
３          第１キー組
３１        入力キー
３１１      左キー
３１２      中間キー
３１３      右キー
４          第２キー組
４１        制御キー
４１１      起動/停止キー
４１２      音量増大キー
４１３      音量減少キー
４１４      項目選択キー
４１４１    上移動キー
４１４２    下移動キー
４１４３    左移動キー
４１４４    右移動キー
４２        レーザポインタキー
４３        レーザ光源
５          電子装置
５１        無線信号モジュール
５１１      受信アンテナ
Ａ          殻体
Ａ０        プレゼンテーション機器
Ａ１        第１キー
Ａ２        第２キー
Ａ３        表示ユニット
Ａ４        出光口
Ａ５        操作領域
Ａ５１      外表面
【図１】
0003160361.tif 000003
【図２】
0003160361.tif 000004
【図３】
0003160361.tif 000005
【図４】
0003160361.tif 000006
【図５】
0003160361.tif 000007
【手続補正書】
【提出日】平成22年4月13日(2010.4.13)
【手続補正１】
【補正対象書類名】実用新案登録請求の範囲
【補正対象項目名】全文
【補正方法】変更
【補正の内容】
【実用新案登録請求の範囲】
【請求項１】
使用方式の変換の検出を行なうことができるマウスであり、マウス本体と、第１キー組と、第２キー組と、制御モジュールと、を含み、そのうち、
該マウス本体の内部に収容空間を有し、
該第１キー組は、マウス本体の上部表面に設置され、それぞれ命令信号を入力する少なくとも１つの入力キーを有し、
該第２キー組は、マウス本体の第１キー組に相対する底部表面に設けられ、信号伝送させることができる複数の制御キーを設け、
該制御モジュールは、マウス本体内部に収容空間に設置され、それぞれ第１キー組、第２キー組に電気接続し、マウス本体の応用方式の変換を検出することができる方向感知器を設け、方向感知器は、第１キー組、第２キー組の動作を切り替えることができる変換制御器を設け、且つマウス本体の第２キー組側辺表面にマウス変位方向を検出する変位検出器を設ける多用途のタッチ式無線マウス。
【請求項２】
前記マウス本体は、底台及び上蓋を有し、且つ上蓋外側の上部表面は、一側に第１キー組の少なくとも１つの入力キーを設け、底台の外側底部表面には、複数のキーを有する第２キー組を設ける請求項１に記載の多用途のタッチ式無線マウス。
【請求項３】
前記第１キー組は、上蓋上部表面一側にマウス機能の左キー、中間キー、右キーの型式の複数の入力キーを設ける請求項２に記載の多用途のタッチ式無線マウス。
【請求項４】
前記第２キー組の複数制御キーは、リモコンが使用する起動/停止キー、音量調整キー、項目選択キーの類型の複数のキー、回転レバー、トラックボールの制御キーである請求項１に記載の多用途のタッチ式無線マウス。
【請求項５】
前記第２キー組の複数制御キーは、レーザポインタが使用するキーであることができ、スクリーンポインタ制御の上下左右調整キー、スクリーンカーソルポインタ操作制御のボールキーの各種類型の制御キーであることができる請求項１に記載の多用途のタッチ式無線マウス。
【請求項６】
前記制御モジュールが設ける変換制御器は、加速度センサ（G-SENSOR）、ジャイロスコープの類型の検出設備である請求項１に記載の多用途のタッチ式無線マウス。
【請求項７】
前記制御モジュールが設ける変換制御器は、信号を圧縮できる圧縮ユニットに接続詞、圧縮ユニットは、圧縮した信号を外部に無線信号伝送できる無線伝送ユニットに接続する請求項１記載の多用途のタッチ式無線マウス。